(57)【要約】【課題】  予め設定されたカテゴリーに関連する投稿記事情報を適切に抽出して閲覧することができるウェブログを利用した情報提供システムを提供する。【解決手段】  投稿記事情報を蓄積するＰｉｎｇサイト４ａ等は、予め設定したカテゴリーごとにこのカテゴリーに関連するキーワードを登録したカテゴリー別データベースＤ４を備えている。そして、Ｐｉｎｇサイト４ａ等は、Ｗｅｂサイト２から送信された投稿記事情報の記載事項に、このカテゴリー別データベースＤ４に予め登録されたキーワードが含まれているか否かを判定し、予め登録されたキーワードが含まれていると判定された投稿記事情報について、このキーワードに対応してカテゴリー別データベースＤ４に登録されているカテゴリーを投稿記事情報に付加して投稿記事データベースに蓄積するようにしたウェブログを利用した情報提供システムである。【選択図】図１
2007207202.tif 000002
【特許請求の範囲】
【請求項１】
記事投稿者の端末装置がアクセスして入力されたウェブログによる投稿記事情報をＰｉｎｇサイトに送信するＷｅｂサイトと、
前記Ｗｅｂサイトから送信された前記投稿記事情報を蓄積する投稿記事データベースを有する前記Ｐｉｎｇサイトを備えたウェブログを利用した情報提供システムにおいて、
前記Ｐｉｎｇサイトは、
予め設定したカテゴリーごとに、該カテゴリーに関連するキーワードを登録したカテゴリー別データベースと、
前記Ｗｅｂサイトから送信された前記投稿記事情報の記載事項に、前記カテゴリー別データベースに登録された前記キーワードの有無を判定するキーワード判定手段と、
前記キーワード判定手段により前記キーワードが含まれていると判定された前記投稿記事情報に、前記キーワードに対応して前記カテゴリー別データベースに登録されている前記カテゴリーまたは前記カテゴリーの識別情報を付加し、前記カテゴリーまたは前記カテゴリーの識別情報を付加した投稿記事情報を前記投稿記事データベースに蓄積するカテゴリー付加手段と、
を備えていることを特徴とするウェブログを利用した情報提供システム。
【請求項２】
前記ウェブログによる情報提供システムは、前記Ｗｅｂサイトが前記投稿記事情報を前記Ｐｉｎｇサイトに送信するときに、前記記事投稿者のウェブログのＵＲＬをＰｉｎｇプロキシサイトに送信するようになされたシステムであって、
前記Ｐｉｎｇプロキシサイトは、
前記記事投稿者のウェブログのＵＲＬを登録した記事投稿者データベースと、
前記投稿記事情報の送信先となる前記ＰｉｎｇサイトのＰｉｎｇ送信先のＵＲＬを登録したＰｉｎｇ送信先データベースを備え、
さらに、前記Ｐｉｎｇプロキシサイトは、
前記Ｗｅｂサイトから受信した前記記事投稿者のウェブログのＵＲＬが前記記事投稿者データベースに登録されていると、前記受信した前記ウェブログのＵＲＬを、前記Ｐｉｎｇ送信先データベースに登録されているＰｉｎｇ送信先のＵＲＬに送信するウェブログ認証手段を有していることを特徴とする請求項１に記載のウェブログを利用した情報提供システム。
【請求項３】
前記キーワード判定手段は、前記投稿記事情報を構成するウェブログ名、投稿記事のタイトル名、カテゴリー、投稿者名、投稿記事のうちの少なくとも一つの記載事項について、前記キーワードが含まれているか否かを判定する手段を備えていることを特徴とする請求項１に記載のウェブログを利用した情報提供システム。
【発明の詳細な説明】
【技術分野】
【０００１】  本発明は、ウェブログを利用した情報提供システム、特に、Ｐｉｎｇサイトに蓄積されている投稿記事情報を予め設定されたカテゴリーに基づいて、一般ユーザー等がこのカテゴリーに関連する投稿記事情報を適切に抽出して閲覧できるように改善したウェブログを利用した情報提供システムに関するものである。
【背景技術】
【０００２】  インターネットの普及に伴なって、端末装置から情報提供を行なうボータルサイト等のＷｅｂサイトをアクセスして、企業等が公開するＷｅｂページの閲覧、あるいはこのＷｅｂページとリンクされた他のＷｅｂページのＵＲＬ（Ｕｎｉｆｏｒｍ  Ｒｅｓｏｕｒｃｅ  Ｌｏｃａｔｏｒ）をアクセスすることにより、各種の情報を閲覧することが可能になってきた。このような従来から実用化されているインターネットを利用した情報提供システムにおいては、ＷｅｂページはＨＴＭＬ言語等を用いて作成する必要があった。そして、このＷｅｂページをデザインしたＨＴＭＬ言語から構成されるファイルを、端末装置からプロバイダ等のＷｅｂサーバ（サイト）にアップロードすることにより、このＷｅｂページはインターネット上に公開されるようになっていた。【０００３】  このため、各種の企業、店舗、個人等のＷｅｂページの作成者側は、新規情報を直ちにこのＷｅｂページに掲載する必要が生じたとき、あるいは、Ｗｅｂページを閲覧した一般ユーザーがこのＷｅｂページに意見等の情報を書き込んで、これらの情報を直ちにインターネット上に公開することは極めて困難であった。また、ホームページを含む各種のＷｅｂページを作成するためには、ＨＴＭＬ言語などの知識を詳細に習得する必要があった。【０００４】  このように、Ｗｅｂページに新規情報を直ちに掲載することを可能とし、さらに、このＷｅｂページを閲覧した一般ユーザーは、直ちにこの閲覧したＷｅｂページに意見等の書き込みを可能にし、これら新規情報や意見等を掲載したＷｅｂページを直ちに更新してインターネット上に公開可能なシステムを構築すると、その利用価値は極めて大きくなる。【０００５】  上記課題を解決する手段の一つとして、近年、ウェブログ作成ソフトウエアを用いて作成したウェブログのＷｅｂページ（一般に、投稿記事または日記といわれている）をインターネット上に公開して、記事の投稿者側とこの記事を閲覧した一般ユーザー側とが双方向のコミュニケーションを可能としたウェブログ（Ｗｅｂｌｏｇ：略してブログと言われている）に関する技術が急速に普及し、実用化されてきている。このウェブログは、「コメント」と「トラックバック」の機能を用いて、記事の情報投稿者（以下、記事投稿者という）とこの記事を閲覧した一般ユーザー間で、双方向のコミュニケーションがウェブログのＷｅｂページを介して可能になるという特徴を備えている。【０００６】  このウェブログ技術を応用すると、例えば、記事投稿者である企業が、端末装置からウェブログの情報提供サービスを行なうＷｅｂサイトあるいはポータルサイト（以下、Ｗｅｂサイトという）をアクセスして、新製品等に関する情報を記載したウェブログのＷｅｂページを作成すると、ＷｅｂサイトはこのＷｅｂページに関する投稿記事情報をデータベースに時系列的に蓄積するとともに、この投稿記事情報をインターネット上に直ちに公開する情報提供システムを構築することができる。そして、一般ユーザーは、端末装置からＷｅｂサイトをアクセスしてこのデータベースに蓄積された投稿記事情報をウェブログのＷｅｂページで閲覧することが可能になり、さらに、閲覧したＷｅｂページにコメント等を入力���ると、記事投稿者側は極めて短時間のうちにこのコメントを閲覧することが可能になる。【０００７】  上記したウェブログを利用した情報提供システムにおいては、例えば、企業や店舗等は、このウェブログのＷｅｂページに日々新製品や新規サービス提供等に関する情報を掲載（投稿）してインターネット上に公開すると、早く、容易に、かつ広範囲あるいは地域に密着した情報を発信することが可能になり、一般ユーザー等からの意見等の情報を、早く取得することができる。その結果として、収益の向上や有益なマーケティング情報を得ることができるようになる。このようなウェブログを利用した情報提供システムは、数年前から種々のシステムが提案され実用化されている。【０００８】  現在、一般に実用化されているウェブログを用いた情報提供システムは、下記（１）〜（６）に記載の手順により構築され、運用されている。【０００９】  （１）企業、店舗、個人等のウェブログのユーザーとなる記事投稿者は、端末装置から自分が加入しているプロバイダ、あるいはポータルサイト、等のＷｅｂサイト（サーバ）、が運営するウェブログのＷｅｂサイトをアクセスして、ウェブログのユーザー登録の申請を行なう。このユーザー登録が完了すると、Ｗｅｂサイト側は記事投稿者に対してこの記事投稿者のウェブログのＵＲＬを設定し、このウェブログのＵＲＬをメール等により記事投稿者に連絡する。この記事投稿者のウェブログのＵＲＬは、ウェブログのユーザー登録の申請を行なったＷｅｂサイト上に設定されたＵＲＬとなる。なお、このユーザー登録に際しては、通常、記事投稿者のウェブログ名、記事投稿者の属性情報である投稿者名（ニックネームを含む場合もある）、住所、メールアドレス等のデータも登録される。【００１０】  （２）記事投稿者は、端末装置のＷｅｂブラウザを利用してこの自分のウェブログのＵＲＬをアクセスすると、Ｗｅｂサイトにインストールされているウェブログ作成ソフトウエアが作動して、ウェブログのＷｅｂページが表示され、投稿記事情報を入力することが可能になる。投稿記事情報としては、投稿日、投稿記事のタイトル名、投稿記事、カテゴリー、等の項目に関する情報を入力する。【００１１】  （３）この投稿記事情報の入力は、それぞれのＷｅｂサイトにインストールされているウェブログ作成ソフトウエアが表示した投稿記事情報の入力用Ｗｅｂページに従って入力することになる。一般に、この投稿記事情報の入力用Ｗｅｂページには、記事投稿日、投稿記事のタイトル名、投稿記事（記事本文または日記の内容）、カテゴリー、コメント等を入力する欄が設定されているので、記事投稿者は、投稿する都度、上記した投稿日、投稿記事のタイトル名、投稿記事、カテゴリー、等の項目に関する情報を入力する。【００１２】  上記したカテゴリーとは、投稿記事情報を分類するためにＷｅｂサイト側が予め設定した語彙（分類のための用語）を示し、投稿記事情報の入力用Ｗｅｂページにカテゴリーの入力欄が設定されている。例えば、カテゴリーは、「スポーツ」、「音楽」、「グルメ」、「旅行」、・・・等、情報を分類するための語彙である。【００１３】  （４）記事投稿者は、端末装置に表示された投稿記事情報の入力用Ｗｅｂペ��ジに上記した投稿記事を含む各入力項目について情報を入力し、「投稿」ボタンをマウスでクリックすると、入力した投稿記事情報は、Ｗｅｂサイトのデータベースに蓄積される。このようにして、記事投稿者が日々入力して作成した投稿記事情報は、時系列的にＷｅｂサイトのデータベースに蓄積される。【００１４】  （５）Ｗｅｂサイト側は、データベースに蓄積した投稿記事情報を、インターネットを介して一般ユーザーに公開するための各種のウェブログのＷｅｂページを設けている。このＷｅｂページの一つとして、上記した予め設定された複数のカテゴリーの一覧を表示するとともに、このカテゴリーの一つをマウスでクリックして指定すると、指定したカテゴリーが付与された投稿記事情報をデータベースから検索し、検索された投稿記事情報に関する情報を、最新の投稿日順に、ウェブログ名、記事タイトル、等の一覧を表示する検索用のＷｅｂページを設けている。そして、この表示されたウェブログ名、あるいは記事タイト名等は、データベースに蓄積されたこの記事情報とリンクが設定されている。【００１５】  （６）一般ユーザーは、上記（５）により表示されたＷｅｂページのウェブログ名、または記事タイトル名をマウスでクリックすると、クリックした投稿記事情報をウェブログのＷｅｂページとして閲覧することが可能になり、さらに、このＷｅｂページに意見（コメント）を入力することも可能になっている。
【発明の開示】
【発明が解決しようとする課題】
【００１６】  上記した従来のウェブログを利用した情報提供システムにおいて、投稿した投稿記事情報に関連するカテゴリーの付与は、一般に、ウェブログ作成ソフトウエアに基づいて、ポータルサイト側で予め設定した複数種のカテゴリーのなかから、記事投稿者が予め選択したカテゴリーが採用されるようになっていた。このため、日々、異なった投稿記事に関する投稿記事情を投稿しても、記事投稿者が予め選択したカテゴリーがこの投稿記事情に付与されるようになっている場合もあった。【００１７】  一方、投稿記事情報を蓄積するＷｅｂサイトにおいては、上記のようにＷｅｂサイト側で予め設定されたカテゴリーを遊技者に選択させる方法を採用しているため、Ｗｅｂサイトごとにカテゴリーの分類体系とそのカテゴリー名が異なる傾向があった。このため、従来のＷｅｂサイトで採用されているカテゴリーは、例えば、「スポーツ」、「グルメ」、「ニュース」、「パソコン」等、極めて広い分野を表すカテゴリーに関する語彙が採用されていた。【００１８】  このように、従来のウェブログを利用した情報提供システムにおいては、投稿記事情報に対して上記のようなカテゴリーを付与する方法を採用しているので、次のような不具合が生じている。【００１９】  （１）記事投稿者が作成した投稿記事情報へのカテゴリーの付与は、Ｗｅｂサイト側が予め設定したカテゴリーのなかから記事投稿者が選択したカテゴリーが採用されるので、記事投稿者が投稿記事情報により一般ユーザーに公開しようとする真意が、必ずしも選択したカテゴリーに関連しているとは限らない。このため、一般ユーザーは、閲覧したい適切な投稿記事情報を、ウェブログのＷｅｂページからカテゴリーを指定しても閲覧できない可能性が生じていた。【００２０】  （２）特に、従来のシステムにおいては、予め設定されたカテゴリーに関連しないような特徴のある投稿記事情報、例えば、それぞれの地域に密着した投稿記事情報を、カテゴリーの指定により閲覧可能にするための配慮はなされていなかった。【００２１】  （３）複数のＷｅｂサイトに対して投稿記事情報の投稿を希望する記事投稿者は、各Ｗｅｂサイトの運営者が予め設定したカテゴリーを選択する必要があった。また、記事投稿者が複数のＷｅｂサイトに投稿記事情報の投稿を行なう場合には、それぞれのＷｅｂサイトの仕様に合わせたカテゴリーを選択する必要があった。【００２２】  そこで、本発明の目的は、一般ユーザー等がウェブログの投稿記事情報を蓄積したＷｅｂ（Ｐｉｎｇ）サイトをアクセスしてこの投稿記事情報を閲覧するときに、閲覧するために指定したカテゴリーに関連する投稿記事情報を、この投稿記事情報を蓄積するデータベースから適切に抽出することができるウェブログを利用した情報提供システムを提供することにある。【００２３】  さらに、本発明の他の目的は、ウェブログの投稿記事情報を複数のＷｅｂサイトに投稿するときに、記事等後者はＰｉｎｇサイトごとに予め設定されたカテゴリーを選択する必要をなくしたウェブログを利用した情報提供システムを提供することにある。
さらに、本発明の他の目的は、Ｗｅｂサイトごとに、特徴があるカテゴリーに関する投稿記事情報を蓄積し、一般ユーザーにこの蓄積した投稿記事情報の閲覧を可能としたウェブログを利用した情報提供システムを提供することにある。
【課題を解決するための手段】
【００２４】  本発明は、記事投稿者の端末装置がアクセスして入力されたウェブログによる投稿記事情報をＰｉｎｇサイトに送信するＷｅｂサイトと、
前記Ｗｅｂサイトから送信された前記投稿記事情報を蓄積する投稿記事データベースを有する前記Ｐｉｎｇサイトを備えたウェブログを利用した情報提供システムにおいて、
前記Ｐｉｎｇサイトは、
予め設定したカテゴリーごとに、該カテゴリーに関連するキーワードを登録したカテゴリー別データベースと、
前記Ｗｅｂサイトから送信された前記投稿記事情報の記載事項に、前記カテゴリー別データベースに登録された前記キーワードの有無を判定するキーワード判定手段と、
前記キーワード判定手段により前記キーワードが含まれていると判定された前記投稿記事情報に、前記キーワードに対応して前記カテゴリー別データベースに登録されている前記カテゴリーまたは前記カテゴリーの識別情報を付加し、前記カテゴリーまたは前記カテゴリーの識別情報を付加した投稿記事情報を前記投稿記事データベースに蓄積するカテゴリー付加手段と、
を備えているウェブログを利用した情報提供システムである。【００２５】  さらに、本発明は、前記ウェブログによる情報提供システムは、前記Ｗｅｂサイトが前記投稿記事情報を前記Ｐｉｎｇサイトに送信するときに、前記記事投稿者のウェブログのＵＲＬをＰｉｎｇプロキシサイトに送信するようになされたシステムであって、
前記Ｐｉｎｇプロキシサイトは、
前記記事投稿者のウェブログのＵＲＬを登録した記事投稿者データベースと、
前記投稿記事情報の送信先となる前記ＰｉｎｇサイトのＰｉｎｇ送信先のＵＲＬを登録したＰｉｎｇ送信先データベースを備え、
さらに、前記Ｐｉｎｇプロキシサイトは、
前記Ｗｅｂサイトから受信した前記記事投稿者のウェブログのＵＲＬが前記記事投稿者データベースに登録されていると、前記受信した前記ウェブログのＵＲＬを、前記Ｐｉｎｇ送信先データベースに登録されているＰｉｎｇ送信先のＵＲＬに送信するウェブログ認証手段を有しているウェブログを利用した情報提供システムである。【００２６】  さらに、本発明は、前記キーワード判定手段は、前記投稿記事情報を構成するウェブログ名、投稿記事のタイトル名、カテゴリー名、投稿者名、投稿記事のうちの少なくとも一つの記載事項について、前記キーワードが含まれているか否かを判定する手段を備えているウェブログを利用した情報提供システムである。【００２７】  上記したＰｉｎｇサイトとは、ウェブログにより作成された投稿記事情報を蓄積し、この蓄積した投稿記事情報をインターネット上に公開するサービスを行なうＷｅｂサイトを示す。また、カテゴリーの識別情報とは、カテゴリーごとに予め設定された固有の識別番号、例えば、カテゴリーに設定された所定の桁数を有する番号を示す。
【発明の効果】
【００２８】  本発明は、次のような効果を有している。
（１）Ｐｉｎｇサイトは、記事投稿者が投稿した投稿記事情報に記載されている記載事項ついて、カテゴリー別データベースに予め登録されているキーワードが含まれているか否かを判定する。そして、含まれていると判定されたこのキーワードに対応してカテゴリー別データベースに登録されているカテゴリーを、投稿記事情報に付加するようにしている。これにより、記事投稿者がウェブログにより公開したい投稿記事情報を、一般ユーザー等がカテゴリーを指定して閲覧するときに、指定したカテゴリーに関連する投稿記事情報を投稿記事データベースから、漏れなく、適切に抽出することが可能になる。【００２９】  （２）各Ｐｉｎｇサイト側は、カテゴリー別データベースについて、記事投稿者が投稿記事情報を公開する目的に適合するカテゴリーとこのカテゴリーに対応するキーワードを設定することにより、データベースに蓄積する投稿記事情報に特徴を有するＰｉｎｇサイトを備えた情報提供システムを構築することが可能になる。Ｐｉｎｇサイトは地域ごとに容易に設立することができるので、これにより、地域に密着した特徴ある情報を提供できるウェブログを利用した情報提供システムを構築することが可能になる。特に、Ｐｉｎｇプロキシサイト側とＰｉｎｇサイト側の運営者が同一、あるいはこれら運営者が連携してシステムを構築すると、Ｐｉｎｇサイトごとに、一般ユーザーにとって特徴があり、かつ、特定の情報に特化した投稿記事情報を蓄積して公開することができるウェブログを利用した情報提供システムを構築することができる。【００３０】  （３）記事投稿者が入力するカテゴリーは、各Ｗｅｂサイトのサーバにインストールされたウェブログ作成ソフトウエアにより異なっているが、本システムにおいては、Ｐｉｎｇサイト側で予め設定したカテゴリーを投稿記事情報に付加するようにしている。これにより、Ｐｉｎｇサイトごとに、投稿記事データベースに蓄積する投稿記事情報には統一されたカテゴリーが付加されるので、各カテゴリーに関連する投稿記事情報を投稿記事データベースから適切に抽出することが可能になる。【００３１】  （４）記事投稿者が、本発明を構成するＰｉｎｇサイトについて、その複数のＰｉｎｇサイトに対して投稿記事情報の投稿を希望する場合、ＰｉｎｇプロキシサイトのＰｉｎｇ送信先データベースには、これらＰｉｎｇサイトのＰｉｎｇ送信先のＵＲＬが登録されているので、記事投稿者は一つの投稿記事情報を作成して１回の投稿操作のみで、希望するＰｉｎｇサイト全てに投稿記事情報が投稿されることになる。
【発明を実施するための最良の形態】
【００３２】  以下、本発明を実施するための形態を図面に基づいて説明する。図１は、本発明を実施するためのシステム構成の一例を示す図である。図１において、１ａ、１ｂ、１ｃはパーソナルコンピュータから構成される記事投稿者の端末装置である。記事投稿者の端末装置１ａ、・・等には、ＷｅｂサイトのＷｅｂページをアクセスするためのＷｅｂブラウザがインストールされている。【００３３】  ２は、記事投稿者がホームページの開設登録を行なっているＷｅｂサイト（サーバ）であって、例えば、インターネット・サービス・プロバイダーが運営するＷｅｂサイト、ポータルサイト、あるいは、ウェブログのサービスを行なうＰｉｎｇサイト側が運営しているＷｅｂサイトである。図１には、一つのＷｅｂサイト２のみを示しているが、実際には、複数のＷｅｂサイトに、それぞれ記事投稿者がウェブログのＵＲＬを登録したシステムになる。また、図１には示していないが、Ｗｅｂサイト２は、記事投稿者が端末装置１ａ、・・等からＷｅｂサイト２をアクセスして作成したウェブログによる投稿記事情報を蓄積するデータベースを備えている。【００３４】  ３は、Ｐｉｎｇプロキシサイト（サーバ）であって、記事投稿者データベースＤ１、Ｐｉｎｇ送信先データベースＤ２を有している。Ｐｉｎｇプロキシサイト３は、主として、記事投稿者が投稿記事情報を後記するＰｉｎｇサイトに送信するときに、この記事投稿者を認証するために設けられている。Ｐｉｎｇプロキシサイト３は、記事投稿者データベースＤ１、Ｐｉｎｇ送信先データベースＤ２をメンテナンスするための端末装置３ａを備えている。【００３５】  ４ａ、４ｂ、４ｃは、ウェブログのサービスを行なうＰｉｎｇサイトである。Ｐｉｎｇサイト４ａ、・・は、記事投稿者別ＵＲＬデータベースＤ３、カテゴリー別データベースＤ４、Ｗｅｂサイト２から投稿（送信）された投稿記事情報を時系列的に蓄積する投稿記事データベースＤ５を備えている。カテゴリー別データベースＤ４は、Ｗｅｂサイト２から送信された投稿記事情報に、予め各Ｐｉｎｇサイト４ａ、・・側で設定したカテゴリーを付加（付与）する処理を行なうためのデータベースである。【００３６】５ａ、５ｂは、パーソナルコンピュータから構成される一般ユーザーの端末装置である。一般ユーザーの端末装置５ａ、５ｂには、Ｗｅｂブラウザがインストールされており、Ｐｉｎｇサイト４ａ、・・等をアクセスして、Ｐｉｎｇサイト４ａ、・・等が投稿記事データベースＤ５に蓄積している投稿記事情報に関する情報を閲覧するために使用される。【００３７】  上記した記事投稿者の端末装置１ａ、１ｂ、１ｃ、Ｐｉｎｇプロキシサイト３およびその端末装置３ａ、Ｐｉｎｇサイト４ａ、４ｂ、４ｃ、一般ユーザーの端末装置５ａ、５ｂは、インターネット６に接続されている。【００３８】  なお、上記した記事投稿者とは、各種の企業、店舗、団体、個人等、ウェブログを利用して各種の投稿記事情報をＷｅｂサイト２からＰｉｎｇサイト４ａ、・・等に投稿するウェブログのユーザーを示す。【００３９】  Ｐｉｎｇプロキシサイト３が備えている記事投稿者データベースＤ１は、図２に示すように、記事投稿者ごとに記事投稿者が保有しているウェブログ���ＵＲＬ、ウェブログ名、メールアドレス、パスワード、記事投稿者の氏名、住所等に関するデータを登録したデータベースである。この記事投稿者データベースＤ１は、記事投稿者が作成した投稿記事情報をＷｅｂサイト２からＰｉｎｇサイト４ａ、・・に送信するときに、記事投稿者を認証するために使用される。【００４０】  Ｐｉｎｇプロキシサイト３が備えているＰｉｎｇ送信先データベースＤ２は、Ｐｉｎｇサイト４ａ、４ｂ、４ｃごとに設定されているＵＲＬであって、Ｗｅｂサイト２から送信された投稿記事情報を取得する処理を行なうＰｉｎｇサイト４ａ、・・のＵＲＬ（Ｐｉｎｇ送信先のＵＲＬ）を登録したデータベースである。Ｐｉｎｇ送信先データベースＤ２は、図３に示すように、Ｐｉｎｇサイト名とそのＰｉｎｇ送信先のＵＲＬ、等のデータから構成されている。【００４１】  Ｐｉｎｇサイト４ａ、・・が備えている記事投稿者別ＵＲＬデータベースＤ３は、本発明のシステムを構成するＰｉｎｇサイト４ａ、・・を利用して投稿記事情報をインターネット６上に公開することを希望する記事投稿者のウェブログのＵＲＬを登録したデータベースである。すなわち、記事投稿者が作成した投稿記事情報をＰｉｎｇサイト４ａ、・・に投稿して、インターネット６上にこの投稿記事情報を公開するウェブログサービスを行なうＰｉｎｇサイト４ａ、・・について、ユーザー登録を行なった記事投稿者のウェブログのＵＲＬを登録したデータベースである。【００４２】  Ｐｉｎｇサイト４ａ、・・が備えているカテゴリー別データベースＤ４は、図４に示すように、カテゴリーごとに複数のキーワードを登録したデータベースである。カテゴリー別データベースＤ４を構成するカテゴリーは、投稿記事データベースＤ５に蓄積する投稿記事情報を分類付けするために設定した用語であって、例えば、「ランチについて」、「中華料理」、・・・、等、あるいは、極めて短い文章的な表現であって、例えば、図４に示すように「昼食で食べたいもの何？」、「宇都宮の餃子について」、・・等を示す。【００４３】  また、カテゴリー別データベースＤ４を構成するキーワードは、上記したカテゴリーに関連する語彙（用語、単語など）、あるいはこのカテゴリーを適切に表す語彙、その語彙に類似する語彙を示す。そして、各カテゴリーには、予め複数のキーワードが設定されてカテゴリー別データベースＤ４に登録されている。これらカテゴリーとキーワードは、各Ｐｉｎｇサイト４ａ、・・の運営者が予め設定してカテゴリー別データベースＤ４に登録するようにする。これにより、Ｐｉｎｇサイト４ａ、・・ごとに、特色がある投稿記事情報を投稿記事データベースＤ５に蓄積することが可能になる。【００４４】  本発明のシステムを構築して作動させるためには、予め、下記（１）〜（７）に記載した事項等を実施しておく必要がある。【００４５】  （１）記事投稿者は、前記したように、ホームページの開設登録を行なっているＷｅｂサイト２に、ウェブログ利用の登録申請を行なって、ウェブログのＵＲＬを取得しておく。このウェブログのＵＲＬの取得は、Ｗｅｂサイト２が公開しているウェブログのサービス用Ｗｅｂページをアクセスすることにより可能である。【００４６】  （２）��事投稿者は、自分が作成した投稿記事情報を送信してインターネット６上に公開することを希望するＰｉｎｇサイト４ａ、４ｂ、４ｃの一つ、または複数にユーザー登録を行なう。このユーザー登録により、Ｐｉｎｇサイト４ａ、・・等は、記事投稿者のウェブログのＵＲＬを取得し、取得したウェブログのＵＲＬを記事投稿者別ＵＲＬデータベースＤ３に登録する。このユーザー登録は、Ｐｉｎｇサイト４ａ、・・等が公開するＷｅｂページを利用して行なうことができる。【００４７】  （３）記事投稿者は、Ｐｉｎｇプロキシサイト３にユーザー登録を行なって、自分のウェブログのＵＲＬ、記事投稿者のメールアドレス、氏名等、記事投稿者に関する属性情報をＰｉｎｇプロキシサイト３に登録する。このユーザー登録は、Ｐｉｎｇプロキシサイト３が公開するＷｅｂページを利用して行なうことができる。また、記事投稿者は、ユーザー登録したＰｉｎｇサイト４ａ、・・のサイト名をＰｉｎｇプロキシサイト３の運営者に連絡する。これにより、Ｐｉｎｇプロキシサイト３の運営者は、Ｐｉｎｇ送信先データベースＤ２に登録するＰｉｎｇ送信先のＵＲＬを調査して、Ｐｉｎｇ送信先データベースＤ２に登録する作業を行なう。【００４８】  （４）記事投稿者は、Ｗｅｂサイト２側にインストールされているウェブログ作成ソフトウエアに、入力した投稿記事情報の送信先のＵＲＬを、Ｐｉｎｇプロキシサイト３のＵＲＬに設定する操作を行なう。この操作は、記事投稿者の端末装置１ａ、・・から自分のウェブログのＵＲＬをアクセスし、ウェブログの管理ページを利用して設定することができる。【００４９】  （５）Ｐｉｎｇプロキシサイト３の運営者は、上記（３）に記載した記事投稿者のユーザー登録により取得した情報に基づいて、記事投稿者データベースＤ１作成して、Ｐｉｎｇプロキシサイト３に登録する。また、本発明のシステムを構成するＰｉｎｇサイト４ａ、・・のＰｉｎｇ送信先のＵＲＬを登録したＰｉｎｇ送信先データベースＤ２を作成して、Ｐｉｎｇプロキシサイト３に登録する。さらに、ウェブログ認証手段となるウェブログ認証プログラム等のプログラムを作成してＰｉｎｇプロキシサイト３のサーバにインストールする。なお、このＰｉｎｇ送信先データベースＤ２には、本発明を構成するＰｉｎｇサイト４ａ、・・が備えている機能を有していない他のＰｉｎｇサイトのＰｉｎｇ送信先のＵＲＬを登録してもよい。【００５０】  （６）各Ｐｉｎｇサイト４ａ、・・の運営者は、記事投稿者のウェブログのＵＲＬを登録した記事投稿者別ＵＲＬデータベースＤ３、カテゴリー別データベースＤ４を作成して、それぞれＰｉｎｇサイト４ａ、・・に登録する。【００５１】  （７）さらに、各Ｐｉｎｇサイト４ａ、・・の運営者は、Ｗｅｂサイト２から受信した投稿記事情報を投稿記事データベースＤ５に蓄積する処理を行なうための各種のプログラム、例えば、キーワード判定手段となるキーワード判定プログラム、カテゴリー付加手段となるカテゴリー付加プログラム、投稿記事データベースＤ５に蓄積した投稿記事情報から、指定されたカテゴリーが付加されている投稿記事情報を検索する投稿記事検索プログラム等を作成して、各Ｐｉｎｇサイト４ａ、・・のサーバにインス���ールする。さらに、一般ユーザー等が端末装置５ａ、５ｂを利用してＰｉｎｇサイト４ａ、・・をアクセスして、投稿記事データベースＤ５に蓄積されている投稿記事情報を閲覧するための各種のＷｅｂページ等を作成しておく。これらのプログラムおよびＷｅｂページは、ウェブログ作成ソフトウエア、データベース用プログラム、およびＸＭＬ言語等を利用して作成することができる。【００５２】  続いて、本発明のシステムの動作を、図５に基づいて説明する。図５は、本発明のシステムについて、その情報の流れを示す図である。以下、図５に示すステップ順に説明する。【００５３】（ステップＳ１）（ステップＳ２）
記事投稿者は、Ｗｅｂサイト２に登録している自分のウェブログのＵＲＬを、端末装置１ａ、・・を操作してアクセスし、表示された投稿記事入力用Ｗｅｂページに、投稿日、記事タイトル名、投稿記事（日記）、カテゴリー等について投稿記事情報を入力する。【００５４】（ステップＳ３）
記事投稿者は、投稿記事情報の入力が終了すると、このＷｅｂページに表示されている「投稿」ボタンをマウスでクリックする。「投稿」ボタンがクリックされると、Ｗｅｂサイト２のウェブログ作成ソフトウエアは、この記事投稿者のウェブログのＵＲＬをＰｉｎｇプロキシサイト３に送信する処理を行なう。【００５５】（ステップＳ４）
Ｐｉｎｇプロキシサイト３は、上記ステップＳ３により記事投稿者のウェブログのＵＲＬを受信すると、ウェブログ認証手段となるウェブログ認証プログラムを作動させて、下記（処理１）〜（処理３）に記載の処理を行なう。【００５６】（処理１）
まず、受信した記事投稿者のウェブログのＵＲＬが、記事投稿者データベースＤ１に登録されているか否かを判定する。この判定処理は、本システムを利用するユーザーとして予め登録された記事投稿者が、Ｐｉｎｇサイト４ａ、・・等に投稿記事情報を投稿しようとしているか否かを認証するために行なう処理である。【００５７】（処理２）
上記（処理１）の判定結果、記事投稿者のウェブログのＵＲＬが記事投稿者データベースＤ１に登録されていると、ウェブログ認証プログラムは、Ｐｉｎｇ送信先データベースＤ２を参照して、Ｐｉｎｇ送信先データベースＤ２に登録されている全てのＰｉｎｇ送信先のＵＲＬに、受信した記事投稿者のウェブログのＵＲＬを送信する処理を行なう。この処理２により、記事投稿者は投稿記事情報を投稿する全てのＰｉｎｇサイト４ａ、・・等に、投稿記事情報を投稿するための操作を行なう必要がなくなる。【００５８】（処理３）
上記（処理１）の判定結果、記事投稿者のウェブログのＵＲＬが記事投稿者データベースＤ１に登録されていない場合は、ウェブログ認証プログラムは、例えば、このウェブログのＵＲＬの受信に対して何もしない処理を行なう。【００５９】（ステップＳ５）
Ｐｉｎｇサイト４ａ、・・は、上記ステップＳ４の（処理２）により、Ｐｉｎｇプロキシサイト３から記事投稿者のウェブログのＵＲＬを受信すると、認証プログラムを作動させて、記事投稿者別ＵＲＬデータベースＤ３を参照し、受信した記事投稿者のウェブログのＵＲＬがこの記事投稿者別ＵＲＬデータベースＤ３に予め登録されているか否かを認証する処理を行なう。そして、登録されている場合には、次のステップＳ６の処理を行なう。一方、未登録の場合は、例えば、記事投稿者のウェブログのＵＲＬに「ウェブログのＵＲＬ未登録」の連絡を行なう処理を行なうか、あるいは無視する処理を行なう。【００６０】（ステップＳ６）（ステップＳ７）
Ｐｉｎｇサイト４ａ、・・は、Ｗｅｂサイト２に記憶され、記事投稿者が作成した最新の投稿記事情報を取得する処理を行なう。この処理は、Ｗｅｂサイト２に記憶されているＸＭＬファイル（ＲＳＳ）をアクセスして、最新の投稿記事情報を取得する処理を行なう。この処理においては、投稿記事情報に関して、投稿日、ウェブログ名、投稿記事のタイトル名、投稿記事、投稿者名、カテゴリー（記事投稿者が入力したカテゴリー）、投稿記事情報を蓄積するＵＲＬ、等に関する情報を取得する処理を行なうようにする。【００６１】（ステップＳ８）
Ｐｉｎｇサイト４ａ、・・は、上記ステップＳ６、Ｓ７により投稿記事情報を取得すると、次の（処理４）〜（処理５）に記載の処理を行なう。【００６２】（処理４）
ます、キーワード判定手段となるキーワード判定プログラムにより、取得した投稿記事情報のなかに、カテゴリー別データベースＤ４に予め登録されているキーワードが含まれているか否かを判定する処理を行なう。この判定処理は、カテゴリー別データベースＤ４に登録されているキーワードの一つ一つが投稿記事情報を構成するウェブログ名、投稿記事のタイトル名、投稿記事、カテゴリー、投稿者名の内に含まれているか否かを判定するようにすることが望ましいが、特定の項目、例えば、ウェブログ名と投稿記事のタイトル名と投稿記事について、キーワードが含まれているか否かを判定する処理を行なってもよい。なお、このカテゴリーは、記事投稿者が自分の投稿記事情報に指定したカテゴリーを示す。【００６３】  また、キーワード判定プログラムが投稿者名の記載内容について該当するキーワードが含まれているか否かを判定する理由は、投稿者名としてニックネーム、例えば、Ｐｉｎｇサイト側で予め設定したカテゴリーを表現するような名称が登録される可能性があるからである。【００６４】（処理５）
上記（処理４）により、カテゴリー別データベースＤ４に登録されているキーワードが一つでも含まれていると判定された投稿記事情報について、カテゴリー別データベースＤ４を参照してこのキーワードが登録されているカテゴリーに対応して設定されているカテゴリー番号を求める処理を行なう。そして、カテゴリー付加プログラムは、Ｐｉｎｇサイト４ａ・・側が予め設定したカテゴリーに対応するカテゴリー番号を、この投稿記事情報に付加して記憶する処理を行なう。一方、該当するキーワードが含まれていないと判定された場合には、例えば、カテゴリー番号は「００」を付加する処理を行なう。【００６５】  上記（処理５）においては、一つの投稿記事情報が複数のカテゴリーに関連していると判定される場合があり得る。この場合には、投稿記事情報には判定された各カテゴリーに対応するカテゴリー番号の全てを付加する処理を行なう。なお、上記処理では、投稿記事情報にカテゴリー番号を付加する例について説明したが、カテゴリー別データベースＤ４に登録されているカテゴリーの名称、例えば、図４に示す例では「昼食で食べたいもの何？」を付加する処理を行なってもよい。この（処理５）に記載した処理により、投稿記事データベースＤ５に蓄積した投稿記事情報について、カテゴリー番号を指定して検索処理を行なうこと、予め設定したカテゴリーに関連する投稿記事情報を適切に抽出することができるようになる。【００６６】（ステップＳ９）
カテゴリー付加手段となるカテゴリー付加プログラムは、上記（処理５）で求めたるカテゴリー番号を投稿記事情報に付加して記録する処理を行なった後、このカテゴリー番号が付加された投稿記事情報を、投稿記事データベースＤ５に蓄積（記憶）する処理を行なう。【００６７】  上記したステップＳ１〜Ｓ９により、記事投稿者が日々投稿した投稿記事情報は、Ｐｉｎｇプロキシサイト３のＰｉｎｇ送信先データベースに登録されているＰｉｎｇ送信先のＵＲＬとなるＰｉｎｇサイト４ａ・・に送信される。そして、本発明を構成するＰｉｎｇサイト４ａ、４ｂ、４ｃは、受信した投稿記事情報に、Ｐｉｎｇサイト４ａ・・ごとに予め設定したカテゴリーを付加して、投稿記事データベースＤ５に時系列的に蓄積する処理を行なう。【００６８】  続いて、一般ユーザーが端末装置５ａ、５ｂを操作して本発明を構成するＰｉｎｇサイト４ａ、・・をアクセスして、投稿記事情報を閲覧する手順とその処理内容の一例を、ステップＳ１０〜Ｓ１６に基づいて説明する。【００６９】（ステップＳ１０）（ステップＳ１１）
一般ユーザーは、端末装置５ａ、５ｂを操作してＰｉｎｇサイト４ａ、・・が公開するウェブログサービスのＵＲＬをアクセスする。すると、Ｐｉｎｇサイト４ａ、・・は、例えば、図６に示すようなウェブログのトップページＷを端末装置５ａ、・・に表示する処理を行なう。【００７０】  図６に示すウェブログのトップページＷには、Ｐｉｎｇサイト４ａ、・・が予め設定したカテゴリーの一覧を表示した領域ｗ１が設定されている。そして、このトップページＷに表示された各カテゴリーは、投稿記事データベースＤ５に蓄積されている投稿記事情報を検索する投稿記事検索プログラムにリンクが設定されている。なお、この投稿記事検索プログラムは、投稿記事データベースから各カテゴリーに対応するカテゴリー番号が付加されている投稿記事情報を検索する処理を行なうためのプログラムである。【００７１】（ステップＳ１２）（ステップＳ１３）
一般ユーザーは、トップページＷに表示されているカテゴリーの一覧から、閲覧したい一つのカテゴリーをマウスで指定する操作を行なう。カテゴリーがマウスで指定されると、投稿記事検索プログラムが作動して、投稿記事データベースＤ５について指定されたカテゴリーに対応するカテゴリー番号が付加されている投稿記事情報を検索する処理を行なう。そして、該当するカテゴリー番号が付加された投稿記事情報が検索されると、この投稿記事情報の投稿日、ウェブロブ名、記事タイトル名、等を抽出して、例えば、図７に示すように、検索結果の一覧表をトップページＷの表示領域ｗ２に表示する処理を行なう。また、この一覧表に表示された記事タイトル名等は、この記事タイトル名が付与された投稿記事情報を蓄積しているＷｅｂサイト２における記事投稿者のウェブログのＵＲＬにリンクが設定されているようにする。図７に示す例では、記事タイトル名である「今日のサービスメニュー」がこの記事投稿者のウェブログのＵＲＬにリンクが設定されている。【００７２】（ステップＳ１４）（ステップＳ１５）
一般ユーザーは、図７の表示領域ｗ２に表示された検索結果の一覧表に基づいて、閲覧したい記事タイトル名をマウスでクリックして指定すると、この記事タイトル名はＷｅｂサイト２のこの記事タイトル名を記憶しているＵＲＬにリンクが設定されているので、端末装置５ａ、・・はＷｅｂサイト２をアクセスする。これにより、Ｗｅｂサイト２は一般ユーザーが指定した記事タイトル名に関する投稿記事情報を端末装置５ａ、・・に送信する処理を行なう（ステップＳ１５）。【００７３】（ステップＳ１６）
これにより、指定した記事タイトル名に関する投稿記事情報が端末装置５ａ、・・に表示されるので、一般ユーザーは投稿記事情報を閲覧することができるようになる。そして、一般ユーザーは、端末装置５ａ、・・に表示された投稿記事情報にコメントを入力することが可能になる。【００７４】  上記した本発明の実施形態においては、Ｐｉｎｇサイト４ａ、・・は、Ｗｅｂサイト２から投稿記事情報を取得したときに、カテゴリー別データベースＤ４を参照してこの投稿記事情報にカテゴリー番号を付加する例について説明した。本発明のシステムにおいては、一般ユーザーが、図６に示すトップページＷから閲覧したいカテゴリーを指定したときに、カテゴリー別データベースＤ４を参照して、この指定されたカテゴリーに登録されているキーワードを含む投稿記事情報を投稿記事データベースＤ５から抽出する処理を行なう手段を採用してもよい。また、Ｐｉｎｇサイト４ａ、・・のトップページＷ等を利用して閲覧したい記事のタイトル名が指定されたときに、投稿記事データベースＤ５に蓄積されているこのタイトル名に対応する投稿記事情報を、一般ユーザーの端末装置５ａ、・・に表示させるようにしてもよい。【００７５】  さらに、本発明を構成するＰｉｎｇサイト４ａ、・・に、公序良俗に反するような語彙を予め登録したデータベースを設け、Ｗｅｂサイト２から投稿記事情報を受信すると、受信した投稿記事情報にこのデータベースに登録されている語彙の有無を判定する手段を採用するとよい。この手段を設けると、公序良俗に反するような投稿記事情報を投稿記事データベースに蓄積することを防止できるようになる。
【図面の簡単な説明】
【００７６】
【図１】  本発明のシステム構成の一例を説明するための図である。
【図２】  図１に示すＰｉｎｇプロキシサイトが備えている記事投稿者データベースについて、そのデータ構成を説明するための図である。
【図３】  同じく、図１に示すＰｉｎｇプロキシサイトが備えているＰｉｎｇ送信先データベースについて、そのデータ構成を説明するための図である。
【図４】  同じく、図１に示すＰｉｎｇサイトが備えているカテゴリー別データベースについて、そのデータ構成を説明するための図である。
【図５】  本発明のシステムについて、動作の流れを説明するための図である。
【図６】  図１に示すＰｉｎｇサイトが備えているウェブログサービスによるＷｅｂページの一例を説明するための図である。
【図７】  同じく、図１に示すＰｉｎｇサイトが備えているウェブログサービスによるＷｅｂページの他の例を説明するための図である。
【符号の説明】
【００７７】    １ａ、１ｂ、１ｃ：記事投稿者の端末装置
２  ：Ｗｅｂサイト
３  ：Ｐｉｎｇプロキシサイト
４ａ、４ｂ、４ｃ：Ｐｉｎｇサイト
５ａ、５ｂ：一般ユーザーの端末装置
６  ：インターネット
Ｄ１：記事投稿者データベース
Ｄ２：Ｐｉｎｇ送信先データベース
Ｄ３：記事投稿者別ＵＲＬデータベース
Ｄ４：カテゴリー別データベース
Ｄ５：投稿記事データベース
Ｗ  ：ウェブログのＷｅｂページ
【図１】
2007207202.tif 000003
【図２】
2007207202.tif 000004
【図３】
2007207202.tif 000005
【図４】
2007207202.tif 000006
【図５】
2007207202.tif 000007
【図６】
2007207202.tif 000008
【図７】
2007207202.tif 000009